(57)【要約】【課題】操縦者の立ち姿勢又は着座姿勢に応じて、日傘の高さと前後方向及び左右方向の位置を任意に変更できるものとし、操縦者に直射日光が当たることを防止して操縦環境を快適化する。【解決手段】コンバインの操縦席（８）に搭乗する操縦者の日除け用の日傘（９）を設け、該日傘（９）の支持軸（１０）を挿入する中空ボス（１１）を先端部に装着した上支持杆（１２ａ）の基部と、逆Ｌ字形状の下支持杆（１２ｂ）の先端部とを接続パイプ（１２ｃ）で横方向伸縮自在に接続し、前記下支持杆（１２ｂ）を穀粒貯留タンク（７）の右側板（７ａ）に設けた取付具（７ｂ）に上下移動自在及び縦軸中心に回動自在に取り付ける。【選択図】図１
2010124763.tif 000002
【特許請求の範囲】
【請求項１】
走行車台（２）の前側に立毛穀稈を刈取り後方上部へ移送する刈取装置（４）を設け、該刈取装置（４）の後方右側部に操縦席（８）を設け、該操縦席（８）の後側には脱穀済み穀粒を貯留する穀粒貯留タンク（７）を設け、前記操縦席（８）に搭乗する操縦者の日除け用の日傘（９）を設け、該日傘（９）の支持軸（１０）を挿入する中空ボス（１１）を先端部に装着した上支持杆（１２ａ）の基部と、逆Ｌ字形状の下支持杆（１２ｂ）の先端部とを接続パイプ（１２ｃ）で横方向伸縮自在に接続し、前記下支持杆（１２ｂ）を穀粒貯留タンク（７）の右側板（７ａ）に設けた取付具（７ｂ）に上下移動自在及び縦軸中心に回動自在に取り付けたことを特徴とするコンバイン。
【発明の詳細な説明】
【技術分野】
【０００１】
この発明は、コンバインに関するものである。
【背景技術】
【０００２】
下記特許文献１に開示されているように、操縦部の前端に立設した操縦塔の機体外側箇所に、座席の上方を覆う折り畳み自在な日傘の柄の下部を固定し、前記柄を上下中間にて屈折固定自在に構成すると共に、屈折点より上方の柄部分を前記操縦塔の外側面に沿った姿勢に屈折格納する技術が知られている。
【特許文献１】実開昭５８−１０７７４１号公報
【発明の開示】
【発明が解決しようとする課題】
【０００３】
上記特許文献１に開示されたようなコンバインの日除け装置は、操縦者が着席して、該コンバインを操縦操作する操縦部の前端に立設した操縦塔の機体外側箇所に、座席の上方を覆う折り畳み自在な日傘の柄の下部を固定し、該柄を上下中間で屈折固定自在に構成すると共に、屈折点より上方の柄部分を、該操縦塔の外側面に沿った姿勢に屈折格納すべく構成していることにより、該日傘の傘の部分は常に一定位置であることにより、太陽の位置により、操縦者に太陽光が直接当り、暑いことがあったり、まぶしいことがあったりするが、これらを解決しようとするものである。
【課題を解決するための手段】
【０００４】
上述のような課題を解決するために、この発明は、次のような技術手段を講じる。
このために、この発明は、走行車台（２）の前側に立毛穀稈を刈取り後方上部へ移送する刈取装置（４）を設け、該刈取装置（４）の後方右側部に操縦席（８）を設け、該操縦席（８）の後側には脱穀済み穀粒を貯留する穀粒貯留タンク（７）を設け、前記操縦席（８）に搭乗する操縦者の日除け用の日傘（９）を設け、該日傘（９）の支持軸（１０）を挿入する中空ボス（１１）を先端部に装着した上支持杆（１２ａ）の基部と、逆Ｌ字形状の下支持杆（１２ｂ）の先端部とを接続パイプ（１２ｃ）で横方向伸縮自在に接続し、前記下支持杆（１２ｂ）を穀粒貯留タンク（７）の右側板（７ａ）に設けた取付具（７ｂ）に上下移動自在及び縦軸中心に回動自在に取り付けたことを特徴とするコンバインとしたものである。
【発明の効果】
【０００５】
この発明によると、操縦者の立ち姿勢又は着座姿勢に応じて、日傘（９）の高さと前後方向及び左右方向の位置を任意に変更できることにより、操縦者に直射日光が当たることを防止でき、操縦環境を快適化することができる。
【発明を実施するための最良の形態】
【０００６】
以下、本発明の一実施例を図面に基づいて説明する。
コンバイン１の走行車台２下側の左右両側には、走行クローラ３ａを張設した走行装置３を設けている。該走行車台２の前方部には、立毛穀稈を刈取り後方上部へ移送する刈取装置４を設ける。該走行車台２の上側の一方側に、該刈取装置４から刈取り穀稈を引継ぎ移送するフィードチェン５ａと、挟持杆５ｂ等とを有して、移送中に脱穀する脱穀装置６を載置すると共に、脱穀済み穀粒の供給を受けて、一時貯留する穀粒貯留タンク７等と載置した構成である。
【０００７】
又、前記刈取装置４の後方右側部には、操縦者が着座して運転操作する操縦席８を設け、該操縦席８の後側部で該走行車台２の上側には、穀粒貯留タンク７を載置して設け、該穀粒貯留タンク７の右横側部には、図１で示すように、日除け用の日傘９の支持軸１０を挿入すべく、先端部に縦方向に、中空ボス１１を装着した上支持杆１２ａと、逆Ｌ字形状の下支持杆１２ｂとを設け、これら該上支持杆１２ａと下支持杆１２ｂとは、接続パイプ１２ｃへ挿入して、伸縮自在に接続させて設けると共に、該下支持杆１２ｂは上下移動自在に、該穀粒貯留タンク７の右側板７ａの取付具７ｂに上下移動自在、及び円周方向に回動自在に挿入して設け、締付具７ｃで所定位置へ固定すべく設けたことを特徴としたコンバインの日除け装置である。
【０００８】
前記コンバイン１の走行車台２の下側には、図１、及び図２で示すように、土壌面を走行する左右一対の走行クローラ３ａを張設した走行装置３を配設し、該走行車台２の上側面に脱穀装置６を載置している。該走行車台２の前方部の刈取装置４で立毛穀稈を刈取りして、後方上部に移送し、該脱穀装置６のフィードチェン５ａと、挟持杆５ｂとで引継いで挟持移送しながら、該脱穀装置６で脱穀する。脱穀済みで選別済み穀粒は、該脱穀装置６の右横側へ配設した穀粒貯留タンク７内へ供給され、一時貯留される。
【０００９】
前記走行車台２の前方部には、図１、及び図２で示すように、立毛穀稈を分離するナローガイド１３、及び各分草体１４と、立毛穀稈を引起す引起装置１５と、引起された穀稈を掻込みする穀稈掻込移送装置１６の各掻込装置１６ａと、掻込された穀稈を刈取る刈刃装置１７と、刈取りされた穀稈を挟持移送して、該脱穀装置６の該フィードチェン５ａと、該挟持杆５ｂとへ受渡しする穀稈掻込移送装置１６の根元・穂先移送装置１８・１９等からなる刈取装置４を設けている。該刈取装置４は、油圧駆動による伸縮シリンダ２０により、土壌面に対して昇降する。
【００１０】
前記刈取装置４の前方下部から後方上部へ傾斜する支持杆２１の上端部に設ける支持パイプ杆２２を、走行車台２の上側面に設けた支持装置２３で回動自在に支持させている。該伸縮シリンダ２０を作動させると支持杆２１と共に、該刈取装置４が上下回動する。
【００１１】
前記刈取装置４の穀稈掻込移送装置１６によって形成される穀稈移送経路中には、刈取られて移送する穀稈に接触作用することにより、脱穀装置６への穀稈の供給の有無を検出する穀稈センサ２４を設けている。
【００１２】
前記穀粒貯留タンク７側の前部には、図１、及び図２で示すように、コンバイン１を始動、停止、及び各部を調節等の操作を行う操作装置２５と、操縦席８とを設け、この操縦席８の下側にエンジン２６を載置している。
【００１３】
前記走行車台２の前端部に装架した走行用ミッションケース２７内の伝動機構２７ａの伝動経路中には、その出力に基づいて、走行車速を検出するポテンションメータ方式の車速センサ２７ｂを設けている。
【００１４】
前記走行車台２の前方部には、立毛穀稈を刈取り後方上部へ任意角度で移送する刈取装置４の後方部には、作業者が着座してコンバイン１を操縦操作する操縦席８を設けている。該操縦席８の後側には、フィードチェン５ａと挟持杆５ｂとにより、後方上部へ移送される刈取り済み穀稈を脱穀装置６内へ供給移送して脱穀される。
【００１５】
前記脱穀装置６内で脱穀された脱穀済み穀粒には、穀粒貯留タンク７内へ供給されて一時貯留される。この収穫作業の時には、操縦者に直接太陽の当たることを防止するために日除け用の日傘９の支持軸１０は、中空ボス１１内へ挿入して、ボルト等により、固定する構成である。該中空ボス１１には、上支持杆１２ａの先端部を固着して設けると共に、逆Ｌ字形状の下支持杆１２ｂを設け、この下支持杆１２ｂの上側の先端部と、該上支持杆１２ａの後端部とは、接続パイプ１２ｃへ挿入して、一体的に構成すると共に、該上支持杆１２ａは該ボルト等をゆるめることにより、前方へ所定長さ延長可能な構成である。
【００１６】
又、前記下支持杆１２ｂは、穀粒貯留タンク７の右横側板７ａの所定位置に設けた取付具７ｂ内へ挿入して、任意位置へ締付具７ｃで固定した構成である。
上記構成により、前記の日傘９位置を上下、前後、及び円周方向へ移動自在に調節できることにより、前記穀粒貯留タンク７部、又は操縦席８部の上方に、日傘９を位置させることができて、操縦者が直接太陽の光を浴びることがなくなり、容全で快適な作業を行うことができる。
【００１７】
前記日傘９は、図１で示すように、取付具７ｂに設ける締付具７ｃで締付け足り、又は緩めることにより、所定位置へ固定、又は前後、左右位置へ移動、及び円周方向へ移動可能であり、操縦者に直接日光の照射が防止できる。
【００１８】
図３で示すように、日除け用の日傘９を直接、穀粒貯留タンク７から取り外すことができる。
前記穀粒貯留タンク７から、下支持杆１２ｂ、及び上支持杆１２ａを一体的に上方に引き出し、取り外し可能な構成とした。
【００１９】
これにより、前記穀粒貯留タンク７から、該下支持杆１２ｂ、及び上支持杆１２ａを着脱自在にすることができる。
前記日傘９を収納時は、図４で示すように、該日傘９の下支持フレーム１２ｂは、コンバイン１の機体後方に回動し、穀粒貯留タンク７の上方部に位置させ、該日傘９の支持軸１０を該貯留タンク７内に収納状態とすべく構成した。
【００２０】
これにより、前記日傘９を開状態のままでも、操縦者がコンバイン１への乗降時に障害になることを防止できる。
前記日傘９の逆Ｌ字形状の下・上支持杆１２ａ、１２ｂは、図１で示すように、逆Ｌ字形状に構成し、水平方向に伸縮自在な構成とし、日傘９位置を水平に移動可能自在に構成して設けている。
【００２１】
上記により、前記操縦席８の前後調整に合わせて、該日傘９位置を水平方向に移動可能な構成としている。
これにより、前記操縦席８の前後調整に合わせて、該日傘９位置を前後に変更できる。
【００２２】
前記日傘９を支持する下支持杆１２ｂの上下方向の所定位置には、図１で示すように、ハンドル部材１２ｄを設けた構成である。
これにより、前記日傘９位置を前記ハンドル部材１２ｄで容易に変更が可能である。
【００２３】
前記逆Ｌ字形状前記下支持杆１２ｂの上側面には、図５で示すように、前記日傘９を収納すべく収納具１２ｅを設けた構成である。
これにより、前記日傘９を容易に収納できるし、該日傘９の収納スペースが少なくて良い。
【００２４】
穀粒貯留タンク７内の穀粒を機外へ排出する収納位置にある排出オーガ２９を上げ操作すると、図６、及び図７で示すように、日傘９が該排出オーガ２９の旋回方向とは、逆方向に操作装置２５に内装したＣＰＵ２５ａにより、旋回移動する構成である。
【００２５】
又、前記排出オーガ２９は、図６で示すように、オーガ上げ検出スイッチ２９ｂで作動される。更に、該日傘９は日傘制御モータ９ａで作動制御される構成である。
これにより、直径の大きな該日傘９であっても、前記排出オーガ２９が排出旋回時に、該日傘９と該排出オーガ２９との干渉を防止できる。
【００２６】
前記排出オーガ２９の収納操作に起因して、設定時間後に前記操作装置２５に内装したＣＰＵ２５ａにより、該日傘９セット位置に自動セットする構成である。
これにより、穀粒排出操作後に、該日傘９が該操作装置２５に内装したＣＰＵ２５ａにより、自動セットされる構成である。
【００２７】
前記排出オーガ２９の収納操作後に、該排出オーガ２９がオーガ受２９ｃに収納されたことを検出されると、該日傘９セット位置へ該操作装置２５に内装したＣＰＵ２５ａにより、自動セットされる構成である。
【００２８】
これにより、排出操作後該日傘９が自動セットできる。
前記日傘９をセット操作により、該日傘９が収納位置から機体前方の作業位置に回動移動する構成である。
【００２９】
これにより、操作性の向上を図ることができる。
前記日傘９のセット位置を変更可能な日傘セット位置変更のダイヤル２５ｂを図６で示すように、操作装置２５に設けた構成である。又、収納位置は機体後方部とした構成である。
【００３０】
これにより、容易に前記日傘９の位置変更ができる。
前記日傘９は、支持軸１０を中心として、該日傘９部が３６０度回動可能で任意位置でセット可能な構成としている。
【００３１】
これにより、機体の上面のどの位置でも、日傘９で覆うことができて降水などで水の進水を防止できる。特に、脱穀装置６の供給口、及び排出支持筒２８部等である。
前記日傘９の収納操作で該日傘９が機体後方の収納位置に回動移動する構成であり、該日傘９の支持軸１０が穀粒貯留タンク７内に収納された状態では、収納状態を、図７で示すように、収納スイッチ７ｄで検出され、この検出時には、回動移動不可能な構成である。
【００３２】
これにより、誤操作を防止できる構成である。
前記穀粒貯留タンク７の前側部で、該穀粒貯留タンク７の巾の中央部には、図８で示すように、操縦席８のシート８ａを設けた構成とし、該穀粒貯留タンク７内の巾方向中央部で、該穀粒貯留タンク７前部には、日傘９を支持する支持フレーム９ｂを配設した構成である。
【００３３】
これにより、前記操縦席８のシート８ａの後方部に日傘９を支持する支持フレーム９ｂが配置されることにより、該日傘９の操作が容易となる。
前記日傘フレーム８ｂは、図９で示すように、操縦者を迂回するように、上下、及び左右方向に湾曲させて設けた構成である。
【００３４】
これにより、大きな直径のパラソルを使用可能となる。
操縦席８の上部には、逆Ｌ字形状の支持フレーム９ｂの上側に、鉄板材、又は樹脂材よりなる受板３０を設けると共に、この受板３０の下側で、逆Ｌ字形状の該支持フレーム９ｂには、複数個のローラ９ｃを設け、該受板３０を支持させると共に、該受板３０の上側には、図１０で示すように、サンバイザスライド３１を設けている。又、前記支持フレーム９ｂ上を上下移動と同時に、該受板３０、及び該サンバイザスライド３１も上下移動、及び回動移動する構成である。
【００３５】
これにより、大きな該サンバイザスライド３１でありながらコンパクトに収納することができる。
穀粒貯留タンク７の外側面には、図１１で示すように、日傘９を収納する、日傘収納具９ｄを一体的に装着して設けた構成である。
【００３６】
これにより、前記日傘９の収納が容易である。又、穀粒貯留タンク７内の穀粒が日傘９内に進入することを防止できる。更に、外表面であることにより、着脱が容易である。
図１２、及び図１３で示すように、前記コンバイン１の操縦席８の前方右端部には、前記日傘９と、日傘取付枠７Ｅとを鉛直方向で長手方向姿勢に収納する構成とした。
【００３７】
収納時、場所を取らずにコンパクトに収納でき、又、乗降時オペレータの障害になることがない。
前記穀粒貯留タンク７内へ貯留した穀粒を機外へ排出するこの穀粒貯留タンク７の後側には、図１、及び図２で示すように、縦移送螺旋２８ａを内装した排出支持筒２８を略垂直姿勢で旋回自在に装着して設け、この排出支持筒２８の上端部には、その全長がコンバイン１の前後長に亘る機外へ穀粒を排出する排出螺旋２９ａを伸縮自在に内装した排出オーガ２９を伸縮自在、上下回動自在、及び左右旋回自在に前後方向に配設している。
【図面の簡単な説明】
【００３８】
【図１】コンバインの右側全体側面図
【図２】コンバインの左側全体側面図
【図３】コンバインの日除け装置の下支持杆部の側面図
【図４】コンバインの日除け装置の回動時の側面図
【図５】コンバインの日除け装置の収納時の側面図
【図６】日除け装置の回動時の平面図
【図７】ブロック図
【図８】日傘制御モータの作用平面図
【図９】日傘フレームの平面図
【図１０】支持フレームとサンバイザスライドとの関係図
【図１１】日傘を収納した状態の右側面図
【図１２】日傘を収納した状態の正面図
【図１３】日傘を収納した状態の側面図
【符号の説明】
【００３９】
２    走行車台
４    刈取装置
７    穀粒貯留タンク
７ａ  右側板
７ｂ  取付具
７ｃ  締付具
８    操縦席
９    日傘
１０    支持軸
１１    中空ボス
１２ａ  上支持杆
１２ｂ  下支持杆
１２ｃ  接続パイプ
【図１】
2010124763.tif 000003
【図２】
2010124763.tif 000004
【図３】
2010124763.tif 000005
【図４】
2010124763.tif 000006
【図５】
2010124763.tif 000007
【図６】
2010124763.tif 000008
【図７】
2010124763.tif 000009
【図８】
2010124763.tif 000010
【図９】
2010124763.tif 000011
【図１０】
2010124763.tif 000012
【図１１】
2010124763.tif 000013
【図１２】
2010124763.tif 000014
【図１３】
2010124763.tif 000015